(57)【要約】【課題】電源ＯＮ時にバッテリが抜かれることによるユーザデータの破壊を防止する携帯端末装置を提供する。【解決手段】電源ＯＮ時に、携帯端末装置１００の本体１０２からバッテリ蓋１０４が外されると、これをバッテリ蓋検知スイッチ１１０が検知し、状態変化信号２１０（バッテリ蓋：脱）がスイッチ変化検出部１５０および報知制御部１７０に転送され、報知制御部１７０が報知制御信号２３０をＬＥＤ１４０に与えることにより、ＬＥＤ１４０が点滅する。これにより、ユーザには、バッテリパック２００を外さないよう、警告が与えられる。一方、端末状態管理部１６０は、ユーザデータ退避処理部１８０により退避処理を行ってユーザデータを保護するとともに、一定時間が経過しても状態変化信号２１０に変化がなければ、シャットダウン処理部２２０によりシャットダウンを行う。【選択図】図３
2008187410.tif 000002
【特許請求の範囲】
【請求項１】
収容するバッテリから電力供給を受ける本体と、
前記本体に取り付けられることによりバッテリを被覆するバッテリ蓋と、
前記本体からバッテリ蓋が取り外されたことを検知する取り外し検知手段と、
前記本体がバッテリからの電力供給を受けているときに前記取り外し検知手段がバッテリ蓋の取り外しを検知した場合、該検知がなされたことを報知する報知手段とを含むことを特徴とする携帯端末装置。
【請求項２】
前記報知手段は前記バッテリ蓋によって被覆されていて、前記バッテリ蓋が前記本体から取り外されると露出することを特徴とする請求項１に記載の携帯端末装置。
【請求項３】
前記報知手段は、ＬＥＤであり、点滅または点灯によって報知を行うことを特徴とする請求項１または２に記載の携帯端末装置。
【請求項４】
前記取り外し検知手段は、前記バッテリ蓋の着脱によって状態の切替が行われるスイッチであることを特徴とする請求項１から３までのいずれかに記載の携帯端末装置。
【請求項５】
前記報知手段による報知がなされるとユーザデータの退避処理を行う退避手段をさらに含むことを特徴とする請求項１から４までのいずれかに記載の携帯端末装置。
【請求項６】
前記報知手段による報知がなされるとシャットダウン処理を行うシャットダウン手段をさらに含むことを特徴とする請求項５に記載の携帯端末装置。
【発明の詳細な説明】
【技術分野】
【０００１】
本発明は、本体に着脱可能なバッテリから電力の供給を受けて動作する携帯端末装置に関するものである。
【背景技術】
【０００２】
携帯端末装置、ＰＨＳ（Personal Handy-phone System）、ＰＤＡ（Personal Digital Assistant）などの携帯端末装置はそれが収容するバッテリから電力供給を受ける。この電力供給がなされているときに、それと気づかずユーザがバッテリ蓋を開け、さらにバッテリパックを本体から抜き取ってしまった場合、ユーザデータが破壊されてしまうことがある。これは、携帯端末装置本体の記憶装置への読み書き動作がなされている最中に、電力供給が途絶えてしまうからである。
【０００３】
したがって、ユーザは、電源ＯＮ時に不用意にバッテリを携帯端末装置本体から抜き取らないよう、注意すべきである。
【０００４】
携帯端末装置に電力を供給するバッテリは、通常、携帯端末装置の表示画面とは反対側の、筺体の裏側に設けられたバッテリ蓋を開け、バッテリパックを抜き取ることによって、携帯端末装置本体から着脱される。筐体の裏側にバッテリ蓋が設けられている主たる理由は、表示画面や操作ボタンの側にバッテリ蓋が設けられていると、それだけで操作や表示のスペースが消費されてしまうからである。
【０００５】
上記のようにバッテリ蓋は携帯端末装置本体の裏側に設けられているため、バッテリ蓋を開け、さらにバッテリパックを携帯端末装置本体から抜き取るときには、通常、ユーザには表示画面が見えない。表示画面が見えていれば、電源ＯＮであることにユーザが気づく可能性は高いが、表示画面が見えていないユーザは、電源ＯＮ時に誤ってバッテリパックを抜き取ってしまい、ユーザデータを破壊してしまうことがある。
【０００６】
かかる問題を防止するため、特許文献１では、外部メモリ用の外部メモリインターフェース制御部を、バッテリパックモジュール側に配置している。かかる措置によれば、仮に電源ＯＮ時にバッテリパックを誤って抜き取ってしまっても、バッテリパックとともに抜き取られた外部メモリインターフェース部は、抜き取られたモジュール側に配置されているバッテリパックから引き続き電力の供給を受けることができる。したがって、外部メモリのユーザデータは破壊されない。
【特許文献１】特開２００３−３２３４０号公報
【発明の開示】
【発明が解決しようとする課題】
【０００７】
しかし、特許文献１は、あくまでも外部メモリに記録されるユーザデータの破壊防止であるから、内部メモリに記録されるべきユーザデータの破壊を防止することはできない。特許文献１では、外部メモリがもともと、本体以外に配置されるものであったため、そのインターフェース制御部ごと、バッテリパックモジュールに移動させることができた。しかし内部メモリをそのインターフェースごとバッテリパックモジュールに移動させることはできない。
【０００８】
本発明はこのような課題に鑑み、電源ＯＮ時にバッテリを誤って抜き取ってしまうことにより、内部メモリ内に保存されるべきユーザデータが破壊されることを防止する携帯端末装置を提供することを目的とする。
【課題を解決するための手段】
【０００９】
上述の課題を解決するために、本発明による携帯端末装置は、収容するバッテリから電力供給を受ける本体と、本体に取り付けられることによりバッテリを被覆するバッテリ蓋と、本体からバッテリ蓋が取り外されたことを検知する取り外し検知手段と、本体がバッテリからの電力供給を受けているときに取り外し検知手段がバッテリ蓋の取り外しを検知した場合、その検知がなされたことを報知する報知手段とを含むことを特徴とする。
【００１０】
本発明による携帯端末装置によれば、ユーザが携帯端末装置の電源ＯＮ時に不用意にバッテリ蓋を取り外すと、報知手段がユーザに電源ＯＮ時であることを報知する。これによってユーザに電源がまだＯＮであることの注意を喚起でき、バッテリを本体から抜き取ることを中止させることができる。かかる構成によりユーザデータの破壊が防止される。
【００１１】
上記の報知手段はバッテリ蓋によって被覆されていて、バッテリ蓋が本体から取り外されると露出するものであるとよい。
【００１２】
かかる構成によれば、表示画面が見えていなくても、ユーザは、バッテリ蓋を取り外せば、確実に報知手段による報知に気付くことができ、ユーザに確実に警告を与えることができるからである。また、バッテリ蓋が取り付けられているためにバッテリ抜きの危険がない場合には、報知手段は、ユーザに見えている必要はないため、バッテリ蓋の下に被覆しておけば、携帯端末装置の外面のスペースを有効利用することができる。
【００１３】
上述の特徴は、すなわち、バッテリ自体の近くに報知手段が配置されることを意味する。バッテリもバッテリ蓋によって被覆されるものだからである。したがって、バッテリ蓋を開けると、バッテリと報知手段とが両方露出する構成とするのが好ましい。
【００１４】
報知手段は携帯端末装置の外面に常時露出させておいてもよいが、その場合は、少なくともバッテリ蓋の周囲にあるとよい。バッテリ蓋を開けるユーザに対して、報知手段からの報知に確実に気づかせることができるからである。
【００１５】
上述の報知手段は、ＬＥＤ（Light Emitting Diode; 発光ダイオード）としてよく、点滅または点灯によって報知を行うとよい。
【００１６】
報知の方法は、ＬＥＤの点灯、点滅のどちらでもよいが、点滅の方が目立ち、警告を与える効果が大きいので望ましい。ＬＥＤ以外の発光手段でもよいが、省電力の観点から、ＬＥＤが望ましい。
【００１７】
報知手段は、ＬＥＤのように視覚に訴えて報知するものに限られず、警告音によって聴覚に訴えて報知するものや、バイブレーションのように触覚に訴えて報知するものでもよい。警告音やバイブレーションを用いる報知手段を利用する場合は、報知手段は、必ずしもバッテリ蓋の下や周辺に配置されている必要はない。そうした場所に配置されていなくとも、ユーザは報知が行われていることに気づくことができるからである。
【００１８】
報知手段がいかなる感覚に訴えるものであれ、本体電源のＯＮ／ＯＦＦと同期してバッテリからの電力供給がＯＮ／ＯＦＦになる電動手段であるとよい。本体電源ＯＦＦのときには報知の必要がなく、電源ＯＮ時のみ、報知を行えばよいからである。言い換えれば、本発明の各構成要件は、本体への電源ＯＮ／ＯＦＦいずれかを判断する必要はない。自己に電力が供給されていれば、本体にも電源が供給されているからである。
【００１９】
また、本体電源ＯＦＦ時には、そもそも、取り外し検知手段をはじめとするすべての要素が機能せず、報知手段としてのＬＥＤも無論点灯しない。バッテリによる電源供給がなされていればこそ、これらの安全装置は機能する。
【００２０】
上述の取り外し検知手段は、バッテリ蓋の着脱によって状態の切替が行われるスイッチであるとよい。
【００２１】
例えば、取り外し検知手段は、弾性体で支持された部材を有するメカスイッチとしてよく、この部材は、バッテリ蓋を閉めると弾性体の弾性に抗して押圧され、携帯端末装置本体に設けられた接点をＯＦＦにし、バッテリ蓋を開けると押圧から解放され、上記の接点をＯＮにするものとしてよい。
【００２２】
また、検知手段とバッテリ蓋とは、電気的に接続される構成には限られず、バッテリ蓋の着脱により、本体側に設けられたメカスイッチとしての検知手段を切り替える構成としてもよい。
【００２３】
さらに、こうした電気的・機械的な接触式のセンサを用いず、非接触式のセンサ、例えばフォトトランジスタを用いてもよい。あるいはフォトインタラプタおよび遮光板を用いて構成してもよい。すなわち、取り外し検知手段は、バッテリ蓋が取り付けられている間は、バッテリ蓋に被覆された状態にあり、バッテリ蓋が開けられると外界からの光に反応して、バッテリ蓋が開けられたことを検知する構成としてよい。
【００２４】
フォトトランジスタ等を用いる場合には、外界がある程度明るいことが条件となり、暗闇では反応しないおそれもある。しかし、バッテリ蓋で被覆されているときのフォトトランジスタ等の受光値は極めて低いため、開閉のスレッショルドを極めて低く設定することができ、フォトトランジスタ等であっても開閉を検知することが可能である。
【００２５】
本発明による携帯端末装置は、報知手段による報知がなされるとユーザデータの退避処理を行う退避手段をさらに含んでよい。
【００２６】
この退避手段は、報知にも拘らずユーザがバッテリを抜き取ってしまう場合に備えて、ユーザデータ破壊の危険を完全に解消するためである。この場合、取り外し検知手段がバッテリ蓋の取り外しを検知すると、即座に、あるいは所定の時間経過後に、退避手段が退避処理を行う構成にするとよい。ただし、電池抜きのおそれをより確実に防止するためには、即座に退避処理を行うのが望ましい。
【００２７】
本発明による携帯端末装置は、報知手段による報知がなされるとシャットダウン処理を行うシャットダウン手段をさらに含んでよい。
【００２８】
このシャットダウン手段も、報知にも拘らずユーザがバッテリを抜き取ってしまう場合に備えて、ユーザデータ破壊の危険を完全に解消する目的で設けたものである。
【００２９】
また、シャットダウン手段は、退避手段とともに設けるのが望ましく、退避手段による退避処理は、バッテリ蓋の取り外しを検知してから即時に行い、シャットダウン処理は所定時間経過後に行えばよい。退避処理を即時に行うことにより、ユーザデータの破壊防止は達成されるからである。
【発明の効果】
【００３０】
本発明によれば、電源ＯＮ時にバッテリパックを誤って抜き取ろうとしても、報知手段による警告をユーザに与えることができる。ユーザがバッテリパックの抜き取りを中止すれば、本体のユーザデータの破壊が防止される。
【発明を実施するための最良の形態】
【００３１】
次に添付図面を参照して本発明による携帯端末装置の実施形態を詳細に説明する。図中、本発明に直接関係のない要素は図示を省略する。また、同様の要素は同一の参照符号によって表示する。さらに、信号はそれが通る線路の符号によって表記するものとする。
【００３２】
図１は、本発明の実施携帯である携帯端末装置を裏側から見た外観図である。携帯端末装置１００は、収容するバッテリパック２００（図１では見えていない）から電力供給を受ける本体１０２と、本体１０２の裏側に取り付けられることによりバッテリパック２００を被覆するバッテリ蓋１０４とが設けられている。バッテリ蓋１０４は、左手に取っ手部１０６を有し、ここを右方向に押してバッテリ蓋１０４をスライドさせることにより開けることができる。なおバッテリ蓋はいかなる開け方を採用していてもよく、スライド式であれば縦横いずれの方向にスライドさせるものでもよいし、いずれかの縁をヒンジとする開閉式でもよいし、バッテリ蓋を水平な状態を保ったままで開ける方式でもよい。
【００３３】
また、携帯端末装置は、本実施形態では折りたたみ式のものとしているが、ストレートタイプのものでもよい。
【００３４】
図２は、図１に示す携帯端末装置からバッテリ蓋１０４を取り外した図である。バッテリ蓋１０４の裏側には、バッテリ蓋１０４が本体１０２から取り外されたことを報知する報知手段の例としてＬＥＤ１４０が設けられている。詳しい仕組みは後述するが、ＬＥＤ１４０は、本体１００がバッテリパック２００からの電力供給を受けているときにバッテリ蓋１０４が本体１００から取り外されると、バッテリパック２００を抜き取らないよう、点滅することによって、ユーザに警告を与える。
【００３５】
このような警告を与える理由は以下の通りである。すなわち、バッテリ蓋１０４が本体１０２から取り外されると、バッテリパック２００が本体１０２に収容されている間は電力供給は継続されるものの、バッテリパック２００を本体から抜き取れば、電力供給が即時に遮断されるからである。本体１０２は後述のように、ユーザデータの読み書きを行う内部メモリとしてデータストレージを含み、データストレージへのアクセス中に電力供給が遮断されると、ユーザデータが破壊される可能性がある。そこで、本発明の実施形態では、ユーザが携帯端末装置１００の電源ＯＮ時にそれと気づかずバッテリ蓋１０４を取り外すと、ＬＥＤ１４０がユーザに電源ＯＮ時であることを報知する。これによってユーザがバッテリパック２００を本体１０２から抜き取ることを中止すれば、ユーザデータの破壊が防止される。
【００３６】
ＬＥＤ１４０は、バッテリ蓋１０４によって被覆されていて、バッテリ蓋１０４が本体１０２から取り外されると露出するとよい。
【００３７】
これは、バッテリ蓋１０４が本体１０２に取り付けられていてバッテリ抜きの危険がない場合には、ＬＥＤ１４０は、ユーザに見えている必要はないからである。そこで上述のようにバッテリ蓋１０４の下に被覆しておけば、携帯端末装置１００の外面のスペースを有効利用することができる。
【００３８】
上述の、ＬＥＤ１４０がバッテリ蓋１０４によって被覆されているという特徴は、すなわち、バッテリパック２００の近くにＬＥＤ１４０が配置されることを意味する。バッテリパック２００もバッテリ蓋１０４によって被覆されるものだからである。したがって、バッテリ蓋１０４を開けると、バッテリパック２００とＬＥＤ１４０とが両方露出する構成とするのが好ましい。
【００３９】
本実施形態では、ＬＥＤ１４０は、図２に示すように、取っ手部１０６の近傍に配置されているため、本体１０２に取り付けられていたバッテリ蓋１０４を取り外すべく右方向にスライドさせ始めると、即座に露出して点滅を開始し、早期にユーザに警告を与えることができる。一方、ＬＥＤ１４０を携帯端末装置１００の外面に常時露出させる構成としてもよいが、その場合は、少なくともバッテリ蓋１０４の周囲にあるとよい。バッテリ蓋１０４を開けるユーザが報知を行うＬＥＤ１４０に気付く確実性を高めるためである。
【００４０】
なお、ＬＥＤ１４０の報知にも拘らずユーザがバッテリパック２００を抜いてしまうと、データ破壊のおそれがある。よって、図２のバッテリパック２００に記載の注意書き「バッテリパック  注意：ＬＥＤ点滅中はバッテリをはずさないでください。」のように、ＬＥＤ１４０の点滅の意味をユーザに対して明示することで、バッテリ抜きを防止するとよい。
【００４１】
上述のＬＥＤ１４０は、点滅または点灯によって報知を行うとよい。報知の方法は点灯、点滅のいずれでもよいが、点滅の方が目立ち、警告を与える効果が大きいので望ましい。また、報知する手段としてＬＥＤ以外の発光手段を用いてもよいが、省電力の観点からは、ＬＥＤが望ましい。
【００４２】
報知手段は、ＬＥＤ１４０のように視覚に訴えて報知するものに限られず、警告音によって聴覚に訴えて報知するものや、バイブレーションのように触覚に訴えて報知するものでもよい。警告音やバイブレーションの機能は、一般的な携帯端末装置に従来から備えられているため、これらを利用する報知手段の図示は省略するが、それら報知手段は、必ずしもバッテリ蓋１０４の下や周辺に配置されている必要はない。そうした場所に配置されていなくとも、ユーザに報知が行われていることを気づかせることができるからである。
【００４３】
報知手段がいかなる感覚に訴えるものであれ、本体電源のＯＮ／ＯＦＦと同期してバッテリパック２００からの電力供給がＯＮ／ＯＦＦになる電動手段であるとよい。本体電源ＯＦＦのときには報知の必要がなく、自己に電力供給がなされているときのみ、報知を行えばよいからである。
【００４４】
バッテリ蓋１０４が本体１００から取り外されたことを検知する取り外し検知手段は、バッテリ蓋１０４の裏側に設けられたバッテリ蓋検知スイッチ１１０である。バッテリ蓋検知スイッチ１１０の詳しい構成も後述するが、本体１０２がバッテリパック２００からの電力供給を受けているときに、バッテリ蓋検知スイッチ１１０によりバッテリ蓋１０４が取り外されたことが検知されると、そのことをＬＥＤ１４０が点滅して報知する。
【００４５】
上述のバッテリ蓋検知スイッチ１１０は、バッテリ蓋１０４の着脱によって状態の切替が行われるスイッチとすればよい。例えば、バッテリ蓋検知スイッチ１１０は、弾性体（図２では部材１３２の下に隠れていて見えない）で支持された略円筒形の部材１３２を有するメカスイッチとしてよい。この部材１３２は、バッテリ蓋１０４を閉めると、バッテリ蓋１０４によって弾性体の弾力に抗して押圧され、携帯端末装置本体１０２に設けられた接点（図２では部材１３２の下に隠れていて見えない）をＯＦＦにし、バッテリ蓋を開けると押圧から解放され、上記の接点をＯＮにする。
【００４６】
また、バッテリ蓋検知スイッチ１１０は、弾性体で支持された２つの端子を有するものでもよい。この場合、バッテリ蓋１０４が閉められると、バッテリ蓋１０４の裏側に設けられた１つの導体に接触することにより、上記の２つの端子が弾性体の弾力に抗して押圧されつつ、上記の導体によって短絡される。この場合は、バッテリ蓋１０４が本体１０２に取り付けられるとＯＮ、バッテリ蓋１０４が本体から取り外されるとＯＦＦ、という切替が行われる。
【００４７】
さらに、こうした電気的・機械的な接触式のセンサを用いず、非接触式のセンサ、例えばフォトトランジスタ等を用いてもよい。すなわち、バッテリ蓋検知スイッチ１１０に代えて、フォトトランジスタ等を用い、バッテリ蓋１０４が取り付けられている間は、フォトトランジスタ等はバッテリ蓋１０４に被覆された状態にあり、バッテリ蓋１０４が開けられると外界からの光に反応して、蓋が開けられたことを検知する構成としてよい。
【００４８】
フォトトランジスタ等を用いる場合には、外界がある程度明るいことが条件となり、暗闇では反応しないおそれもある。しかし、バッテリ蓋１０４で被覆されているときのフォトトランジスタ等の受光値は極めて低いため、開閉のスレッショルドを極めて低く設定することができ、フォトトランジスタ等であっても開閉を検知することが可能である。
【００４９】
図３は図１および図２に示す携帯端末装置１００のブロック図である。携帯端末装置１００は、既に図１および図２において説明したように、バッテリパック２００を収容しバッテリパック２００から電力供給を受ける本体１０２と、本体１０２に取り付けられることによりバッテリパック２００を被覆するバッテリ蓋１０４とを含む。なお図３では、本実施形態の動作に直接関係のない表示画面などの要素は図示を省略している。
【００５０】
バッテリパック２００は、バッテリ蓋１０４が本体に取り付けられている間は本体１０２に被覆されている状態にあり、この状態で電源のＯＮ／ＯＦＦが可能である。一方、バッテリ蓋１０４が本体１０２から取り外されている間は、単に本体１０２に収容されている状態にあり、電力供給は続行しているものの、取り外しが即時に可能であり、この状態でも電源のＯＮ／ＯＦＦが可能である。
【００５１】
また携帯端末装置１００は、本体１０２からバッテリ蓋１０４が取り外されたことを検知するバッテリ蓋検知スイッチ１１０を含み、これは、バッテリ蓋１０４が着脱されることにより状態が切り替えられるスイッチである。
【００５２】
また携帯端末装置１００はＬＥＤ１４０を含み、これは、本体１０２がバッテリからの電力供給を受けているときにバッテリ蓋検知スイッチ１１０がバッテリ蓋１０４の取り外しを検知した場合、その検知がなされたことを報知する。
【００５３】
上記の報知の仕組みをより具体的に、以下、説明する。携帯端末装置１００の本体１０２は、ＣＰＵ１２０を含み、その一機能として、スイッチ変化検出部１５０を有する。スイッチ変化検出部１５０は、バッテリ蓋検知スイッチ１１０から、バッテリ蓋の着／脱いずれかの状態を示すスイッチ状態変化信号２１０を受信し、それをＣＰＵ１２０の他の一機能としての報知制御部１７０に転送する。
【００５４】
報知制御部１７０は、受信した、バッテリ蓋１０４の着／脱のいずれかを表す状態変化信号２１０に応じて、ＬＥＤ１４０に対し、消灯／点滅のいずれかを表す報知制御信号２３０を送信する。ＬＥＤ１４０は、受信した報知制御信号２３０に応じて、消灯（バッテリ蓋１０４：着）または点滅（バッテリ蓋１０４：脱）する。
【００５５】
スイッチ変化検出部１５０、報知制御部１７０は、それ専用のハードウェアによって実装してもよいが、少スペース化のため、本実施形態のように、ＣＰＵ１２０の一機能として実装するのが好ましい。
【００５６】
ＣＰＵ１２０はさらに、その一機能として、端末状態管理部１６０を有する。端末状態管理部１６０は、スイッチ変化検出部１５０からの状態変化信号２１０がバッテリ蓋の着／脱のいずれを表すかに応じて、ユーザデータの退避処理やシャットダウン処理を行う部位である。
【００５７】
端末状態管理部１６０には、ユーザデータの退避処理を行う退避手段の一例であるユーザデータ退避処理部１８０が含まれる。すなわち、状態変化信号２１０がバッテリ蓋：脱を表す場合に、ユーザデータの格納されているデータストレージ１３０への各種データの格納処理１８２を行い、データストレージ１３０から格納処理完了通知１８４を受信する。かかる退避処理を完了すれば、ＬＥＤ１４０による報知にも拘らずユーザがバッテリパック２００を抜き取ってしまっても、ユーザデータが破壊されることはない。
【００５８】
一方、ユーザデータ退避処理部１８０は、状態変化信号２１０がバッテリ蓋：着に再び変化すれば、ユーザデータ退避を解除し、データストレージ１３０への自由な読み書きを再開する。
【００５９】
端末状態管理部１６０は、ユーザデータ退避処理部１８０による退避処理とともに、タイマ１９０による計時処理を開始する。すなわち、タイマ１９０は、状態変化信号２１０がバッテリ蓋１０４：脱を示し始めてからの時間を計時する。
【００６０】
さらに端末状態管理部１６０は、状態変化信号２１０がバッテリ蓋１０４：脱を示し始めてから所定時間が経過すると、シャットダウンを行うシャットダウン手段の一例としてシャットダウン処理部２２０を含む。
【００６１】
このシャットダウン処理部２２０によるシャットダウンも、ＬＥＤ１４０による報知にも拘らずユーザがバッテリパック２００を抜き取ってしまう場合に備えて、ユーザデータ破壊の危険を完全に解消するためである。
【００６２】
図４は図３に示す携帯端末装置１００の動作を示すフローチャートである。まず本体１０２が電源ＯＮとされる（ステップＳ３００）。電源ＯＮの後は、端末状態管理部１６０は、常に、到来する状態変化信号２１０をモニタし、ユーザがバッテリ蓋１０４を外したかどうかを判断する（ステップＳ３１０）。
【００６３】
バッテリ蓋１０４が外されると、これをバッテリ蓋検知スイッチ１１０が検知し、状態変化信号２１０（バッテリ蓋：脱）がスイッチ変化検出部１５０および報知制御部１７０に転送され、報知制御部１７０が報知制御信号２３０をＬＥＤ１４０に与えることにより、ＬＥＤ１４０が点滅する（ステップＳ３２０）。これにより、ユーザには、バッテリパック２００を外さないよう、警告が与えられる。
【００６４】
この警告とともに、状態変化信号２１０（バッテリ蓋：脱）を受信した端末状態管理部１６０は、ユーザデータ退避処理部１８０によって即時に退避処理（ステップＳ３３０）を行う。これにより、警告にも拘らずユーザがバッテリパック２００を外してしまっても、ユーザデータの破壊が防止される。
【００６５】
一方、タイマ１９０は計時を開始し（ステップＳ３３５）、ステップＳ３４０にて、所定時間の経過前であればステップＳ３４５に進み、状態変化信号２１０がバッテリ蓋：着に変化した場合は、ユーザデータ退避処理部１８０によって退避処理を解除するとともに、スイッチ変化検出部１５０、報知制御部１７０を経て、ＬＥＤ１４０を消灯する（ステップＳ３５０）。ステップＳ３４０にて、状態変化信号２１０がバッテリ蓋：脱のまま所定時間が経過した場合は、シャットダウン処理部２２０によってシャットダウン処理を行い、ＬＥＤ１４０も消灯する（ステップＳ３６０）。これにより、本体１０２は電源ＯＦＦとなる（ステップＳ３７０）。
【００６６】
以上、添付図面を参照しながら本発明の好適な実施例について説明したが、本発明は上述の例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００６７】
本発明は、本体に着脱可能なバッテリから電力の供給を受けて動作する携帯端末装置、ＰＨＳ、ＰＤＡなどの携帯端末装置に適用可能である。
【図面の簡単な説明】
【００６８】
【図１】本発明の実施形態である携帯端末装置の外観図である。
【図２】図１に示す携帯端末装置からバッテリ蓋を取り外した図である。
【図３】図１および図２に示す携帯端末装置のブロック図である。
【図４】図３に示す携帯端末装置の動作を示すフローチャートである。
【符号の説明】
【００６９】
１００  携帯端末装置
１０２  本体
１０４  バッテリ蓋
１１０  バッテリ蓋検知スイッチ
１２０  ＣＰＵ
１３０  データストレージ
１４０  ＬＥＤ
２００  バッテリパック
【図１】
2008187410.tif 000003
【図２】
2008187410.tif 000004
【図３】
2008187410.tif 000005
【図４】
2008187410.tif 000006